(57)【要約】  ガラス製のブロック（１）の固定面（１ａ）に、複数のバンドパスフィルタ（２）が隣り合って列状に並べられて接着剤（３）により固定されている。複数のバンドパスフィルタ（２）は、波長に応じて光を透過又は反射するコーティング膜（６）をそれぞれ有する。バンドパスフィルタ（２）の第１の面（２ａ）が固定面（１ａ）に固定され、第１の面（２ａ）とは反対側の第２の面（２ｂ）は第１の面（２ａ）よりも幅が広い。隣接するバンドパスフィルタ（２）の互いに対向する側面は、第１の面（２ａ）側の第１の部分（２ｃ）と、第２の面（２ｂ）側の第２の部分（２ｄ）とを有する。隣接するバンドパスフィルタ（２）の第１の部分（２ｃ）の間隔は第２の部分（２ｄ）の間隔より広い。
2019193710.tif 000002
【特許請求の範囲】
【請求項１】
ガラス製のブロックと、
波長に応じて光を透過又は反射するコーティング膜をそれぞれ有し、隣り合って列状に並べられて前記ブロックの固定面に接着剤により固定された複数のバンドパスフィルタとを備え、
前記バンドパスフィルタは、前記固定面に固定された第１の面と、前記第１の面に対向し前記第１の面よりも幅が広い第２の面とを有し、
隣接する前記バンドパスフィルタの互いに対向する側面は、前記第１の面側の第１の部分と、前記第２の面側の第２の部分とを有し、
隣接する前記バンドパスフィルタの前記第１の部分の間隔は前記第２の部分の間隔より広いことを特徴とする光合分波器。
【請求項２】
前記第２の部分は前記固定面に対して垂直であり、
隣接する前記バンドパスフィルタの前記第２の部分が互いに接していることを特徴とする請求項１に記載の光合分波器。
【請求項３】
前記第１の部分は傾斜面であることを特徴とする請求項１又は２に記載の光合分波器。
【請求項４】
前記バンドパスフィルタの断面形状が凸形であることを特徴とする請求項２に記載の光合分波器。
【請求項５】
前記バンドパスフィルタの断面形状が台形であることを特徴とする請求項１に記載の光合分波器。
【請求項６】
前記ブロックの前記固定面には、前記複数のバンドパスフィルタの前記第１の面との接合部分の間にそれぞれ溝が設けられていることを特徴とする請求項１〜５の何れか１項に記載の光合分波器。
【請求項７】
請求項２に記載の光合分波器の製造方法であって、
前記複数のバンドパスフィルタを隣り合って列状に並べ、隣接する前記バンドパスフィルタの前記第２の部分が互いに接するように第１の治具にあてつけて把持する工程と、
前記固定面に前記接着剤が塗布された前記ブロックを第２の治具に把持する工程と、
前記第１の治具と前記第２の治具を組み合わせて、前記複数のバンドパスフィルタの前記第１の面と前記ブロックに塗布された前記接着剤とを接触させた状態で前記接着剤を硬化させる工程とを備えることを特徴とする光合分波器の製造方法。
【請求項８】
請求項２に記載の光合分波器の製造方法であって、
前記複数のバンドパスフィルタを隣り合って列状に並べて前記ブロックに載せ、隣接する前記バンドパスフィルタの前記第２の部分が互いに接するように第１の治具にあてつける工程と、
第２の治具によって前記複数のバンドパスフィルタを前記ブロックに押し付けた状態で前記ブロックの前記固定面と前記複数のバンドパスフィルタの前記第１の面の間に接着剤を塗布し、前記接着剤を硬化させる工程とを備えることを特徴とする光合分波器の製造方法。
【発明の詳細な説明】
【技術分野】
【０００１】
本発明は、波長が異なる複数の信号光を分波又は合波する光合分波器及びその製造方法に関する。
【背景技術】
【０００２】
光モジュールは、光合分波器を通った信号光を集光レンズを介してレセプタクル又は受光素子に入射する。光合分波器では、複数のバンドパスフィルタが隣り合って列状に並べられて接着剤でガラスブロックに接合されている（例えば、特許文献１参照）。
【先行技術文献】
【特許文献】
【０００３】
【特許文献１】日本特開２０１４−９５８４３号公報
【発明の概要】
【発明が解決しようとする課題】
【０００４】
毛細管現象によって接着剤が複数のバンドパスフィルタ間に這い上がる。接着剤の収縮又は膨張によりバンドパスフィルタの取り付け角度がずれてしまう。従って、それぞれバンドパスフィルタから出射された信号光の角度がずれてしまう。このため、光合分波器を搭載した光モジュールにおいて、調芯することができずに組立歩留が悪くなるという問題があった。【０００５】
本発明は、上述のような課題を解決するためになされたもので、その目的は複数のバンドパスフィルタの取り付け角度ずれを防ぐことができる光合分波器及びその製造方法を得るものである。
【課題を解決するための手段】
【０００６】
本発明に係る光合分波器は、ガラス製のブロックと、波長に応じて光を透過又は反射するコーティング膜を有し、隣り合って列状に並べられて前記ブロックの固定面に接着剤により固定された複数のバンドパスフィルタとを備え、前記バンドパスフィルタは、前記固定面に固定された第１の面と、前記第１の面に対向し前記第１の面よりも幅が広い第２の面とを有し、隣接する前記バンドパスフィルタの互いに対向する側面は、前記第１の面側の第１の部分と、前記第２の面側の第２の部分とを有し、隣接する前記バンドパスフィルタの前記第１の部分の間隔は前記第２の部分の間隔より広いことを特徴とする。
【発明の効果】
【０００７】
本発明では、隣接するバンドパスフィルタの互いに対向する側面は、ブロックの固定面に接着剤により固定された第１の面側の部分で間隔が広く開いている。従って、接着剤がバンドパスフィルタ間に這い上がらないため、複数のバンドパスフィルタの取り付け角度ずれを防ぐことができる。
【図面の簡単な説明】
【０００８】
【図１】実施の形態１に係る光合分波器を示す斜視図である。
【図２】実施の形態１に係る光合分波器を示す断面図である。
【図３】バンドパスフィルタを示す断面図である。
【図４】実施の形態１に係る光合分波器による光の合波を示す断面図である。
【図５】実施の形態１に係る光合分波器の製造方法を示す断面図である。
【図６】実施の形態１に係る光合分波器の製造方法の変形例を示す断面図である。
【図７】比較例に係る光合分波器を示す斜視図である。
【図８】実施の形態２に係る光合分波器を示す斜視図である。
【図９】実施の形態２に係る光合分波器を示す断面図である。
【図１０】実施の形態３に係る光合分波器を示す斜視図である。
【図１１】実施の形態３に係る光合分波器を示す断面図である。
【図１２】実施の形態４に係る光合分波器を示す斜視図である。
【図１３】実施の形態４に係る光合分波器を示す断面図である。
【発明を実施するための形態】
【０００９】
実施の形態に係る光合分波器及びその製造方法について図面を参照して説明する。同じ又は対応する構成要素には同じ符号を付し、説明の繰り返しを省略する場合がある。
【００１０】
実施の形態１．
図１は、実施の形態１に係る光合分波器を示す斜視図である。図２は、実施の形態１に係る光合分波器を示す断面図である。図３は、バンドパスフィルタを示す断面図である。ガラス製のブロック１の固定面１ａに、ガラス製の複数のバンドパスフィルタ２が隣り合って列状に並べられて接着剤３により固定されている。ブロック１の固定面１ａとは反対側の面１ｂに、反射コーティングを施したガラス製のミラー４が接着剤５によって固定されている。
【００１１】
バンドパスフィルタ２の第１の面２ａが固定面１ａに固定され、第１の面２ａとは反対側の第２の面２ｂは第１の面２ａよりも幅が広い。各バンドパスフィルタ２の第１の面２ａに、波長に応じて光を透過又は反射するコーティング膜６が設けられている。コーティング膜６は、サブミクロンオーダーの厚みの誘電体膜が１００層以上積層された誘電体多層膜である。なお、バンドパスフィルタ２の厚みは１ｍｍ程度である。
【００１２】
隣接するバンドパスフィルタ２の互いに対向する側面は、第１の面２ａ側の第１の部分２ｃと、第２の面２ｂ側の第２の部分２ｄとを有する。隣接するバンドパスフィルタ２の第１の部分２ｃの間隔は第２の部分２ｄの間隔より広い。
【００１３】
図４は、実施の形態１に係る光合分波器による光の合波を示す断面図である。レーザ６ａ，６ｂ，６ｃ，６ｄから出射された波長が異なる信号光７ａ，７ｂ，７ｃ，７ｄはブロック１及びバンドパスフィルタ２に入射され、ミラー４及びコーティング膜６で反射されて合波される。
【００１４】
図５は、実施の形態１に係る光合分波器の製造方法を示す断面図である。まず、複数のバンドパスフィルタ２を隣り合って列状に並べ、第１の面２ａを下方向に向け、隣接するバンドパスフィルタ２の第２の部分２ｄが互いに接するように第１の治具８にあてつけて把持する。次に、固定面１ａに接着剤３が塗布されたブロック１を第２の治具９に把持する。次に、第１の治具８と第２の治具９を組み合わせて、複数のバンドパスフィルタ２の第１の面２ａとブロック１に塗布された接着剤３とを接触させた状態で接着剤３を硬化させる。その後、第１の治具８と第２の治具９の把持を開放する。このようにバンドパスフィルタ２同士をあてつけることによって組立性が向上する。
【００１５】
図６は、実施の形態１に係る光合分波器の製造方法の変形例を示す断面図である。まず、複数のバンドパスフィルタ２を隣り合って列状に並べ、第１の面２ａを下方向に向けてブロック１に載せる。そして、隣接するバンドパスフィルタ２の第２の部分２ｄが互いに接するように第１の治具１０にあてつける。次に、第２の治具１１によって複数のバンドパスフィルタ２をブロック１に押し付けた状態でブロック１の固定面１ａと複数のバンドパスフィルタ２の第１の面２ａの間に接着剤３を塗布する。次に、接着剤３を硬化させる。その後、第１の治具１０と第２の治具１１の把持を開放する。この場合でも、バンドパスフィルタ２同士をあてつけることによって組立性が向上する。
【００１６】
続いて、本実施の形態の効果を比較例と比較して説明する。図７は、比較例に係る光合分波器を示す斜視図である。比較例では、矩形状のバンドパスフィルタ１２を用いている。このため、バンドパスフィルタ２間に微小な隙間ができてしまい、毛細管現象によって接着剤３が這い上がる。この接着剤３の収縮又は膨張によりバンドパスフィルタ２の取り付け角度がずれてしまう。よって、ブロック１及びバンドパスフィルタ２に入射した信号光７ａ，７ｂ，７ｃ，７ｄの合波光１３の角度ずれが起こる。
【００１７】
これに対して、本実施の形態では、隣接するバンドパスフィルタ２の互いに対向する側面は、ブロック１の固定面１ａに接着剤３により固定された第１の面２ａ側の部分で間隔が広く開いている。従って、接着剤３がバンドパスフィルタ２間に這い上がらないため、複数のバンドパスフィルタ２の取り付け角度ずれを防ぐことができる。よって、合波光の角度ずれが起こらない。また、第１の部分２ｃが傾斜面であるため、隣接するバンドパスフィルタ２の互いに対向する側面の間隔を第１の面２ａ側に向かうほど広くできる。
【００１８】
また、バンドパスフィルタ２の側面の第２の部分２ｄはブロック１の固定面１ａに対して垂直である。そして、隣接するバンドパスフィルタ２の第２の部分２ｄが互いに接している。これにより、バンドパスフィルタ２同士をあてつけることでブロック１に対して位置合わせできる。
【００１９】
実施の形態２．
図８は、実施の形態２に係る光合分波器を示す斜視図である。図９は、実施の形態２に係る光合分波器を示す断面図である。バンドパスフィルタ２の側面の第１及び第２の部分２ｃ，２ｄがブロック１の固定面１ａに対して垂直である。即ち、バンドパスフィルタ２の断面形状が凸形である。その他の構成は実施の形態１と同様である。隣接するバンドパスフィルタ２の互いに対向する側面の間隔を第１の面２ａ側で更に広くできるため、接着剤３がバンドパスフィルタ２間に這い上がるのを実施の形態１よりも確実に防ぐことができる。
【００２０】
実施の形態３．
図１０は、実施の形態３に係る光合分波器を示す斜視図である。図１１は、実施の形態３に係る光合分波器を示す断面図である。バンドパスフィルタ２の断面形状が台形である。その他の構成は実施の形態１と同様である。これにより、接着剤３がバンドパスフィルタ２間に這い上がるのを実施の形態１よりも確実に防ぐことができる。
【００２１】
実施の形態４．
図１２は、実施の形態４に係る光合分波器を示す斜視図である。図１３は、実施の形態４に係る光合分波器を示す断面図である。ブロック１の固定面１ａには、複数のバンドパスフィルタ２の第１の面２ａとの接合部分の間にそれぞれ溝１４が設けられている。溝１４同士の間隔はバンドパスフィルタ２の第２の面２ｂの幅と同じである。溝１４の幅は隣接するバンドパスフィルタ２の第１の面２ａ同士の間隔よりも狭い。その他の構成は実施の形態１と同様である。溝１４により接着剤３を逃がす空間が設けられ、実施の形態１よりも接着剤３の這い上がりを防止できる。粘度が大きく流動性が高い接着剤３を用いる場合に特に有効である。なお、バンドパスフィルタ２の構成は実施の形態２又は３でもよい。
【符号の説明】
【００２２】
１  ブロック、１ａ  固定面、２  バンドパスフィルタ、２ａ  第１の面、２ｂ  第２の面、２ｃ  第１の部分、２ｄ  第２の部分、３  接着剤、６  コーティング膜、８，１０  第１の治具、９，１１  第２の治具、１４  溝
【図１】
2019193710.tif 000003
【図２】
2019193710.tif 000004
【図３】
2019193710.tif 000005
【図４】
2019193710.tif 000006
【図５】
2019193710.tif 000007
【図６】
2019193710.tif 000008
【図７】
2019193710.tif 000009
【図８】
2019193710.tif 000010
【図９】
2019193710.tif 000011
【図１０】
2019193710.tif 000012
【図１１】
2019193710.tif 000013
【図１２】
2019193710.tif 000014
【図１３】
2019193710.tif 000015
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
ガラス製のブロックと、
波長に応じて光を透過又は反射するコーティング膜をそれぞれ有し、隣り合って列状に並べられて前記ブロックの固定面に接着剤により固定された複数のバンドパスフィルタとを備え、
前記バンドパスフィルタは、前記固定面に固定された第１の面と、前記第１の面に対向し前記第１の面よりも幅が広い第２の面とを有し、
隣接する前記バンドパスフィルタの互いに対向する側面は、前記第１の面側の第１の部分と、前記第２の面側の第２の部分とを有し、
隣接する前記バンドパスフィルタの前記第１の部分の間隔は前記第２の部分の間隔より広く、
前記第２の部分は前記固定面に対して垂直であり、
隣接する前記バンドパスフィルタの前記第２の部分が互いに接していることを特徴とする光合分波器。
【請求項２】
前記第１の部分は傾斜面であることを特徴とする請求項１に記載の光合分波器。
【請求項３】
前記バンドパスフィルタの断面形状が凸形であることを特徴とする請求項１に記載の光合分波器。
【請求項４】
ガラス製のブロックと、
波長に応じて光を透過又は反射するコーティング膜をそれぞれ有し、隣り合って列状に並べられて前記ブロックの固定面に接着剤により固定された複数のバンドパスフィルタとを備え、
前記バンドパスフィルタは、前記固定面に固定された第１の面と、前記第１の面に対向し前記第１の面よりも幅が広い第２の面とを有し、
隣接する前記バンドパスフィルタの互いに対向する側面は、前記第１の面側の第１の部分と、前記第２の面側の第２の部分とを有し、
隣接する前記バンドパスフィルタの前記第１の部分の間隔は前記第２の部分の間隔より広く、
前記バンドパスフィルタの断面形状が台形であることを特徴とする光合分波器。
【請求項５】
前記ブロックの前記固定面には、前記複数のバンドパスフィルタの前記第１の面との接合部分の間にそれぞれ溝が設けられていることを特徴とする請求項１〜４の何れか１項に記載の光合分波器。
【請求項６】
請求項１に記載の光合分波器の製造方法であって、
前記複数のバンドパスフィルタを隣り合って列状に並べ、隣接する前記バンドパスフィルタの前記第２の部分が互いに接するように第１の治具にあてつけて把持する工程と、
前記固定面に前記接着剤が塗布された前記ブロックを第２の治具に把持する工程と、
前記第１の治具と前記第２の治具を組み合わせて、前記複数のバンドパスフィルタの前記第１の面と前記ブロックに塗布された前記接着剤とを接触させた状態で前記接着剤を硬化させる工程とを備えることを特徴とする光合分波器の製造方法。
【請求項７】
請求項１に記載の光合分波器の製造方法であって、
前記複数のバンドパスフィルタを隣り合って列状に並べて前記ブロックに載せ、隣接する前記バンドパスフィルタの前記第２の部分が互いに接するように第１の治具にあてつける工程と、
第２の治具によって前記複数のバンドパスフィルタを前記ブロックに押し付けた状態で前記ブロックの前記固定面と前記複数のバンドパスフィルタの前記第１の面の間に接着剤を塗布し、前記接着剤を硬化させる工程とを備えることを特徴とする光合分波器の製造方法。
【手続補正２】
【補正対象書類名】明細書
【補正対象項目名】０００６
【補正方法】変更
【補正の内容】
【０００６】
本発明に係る光合分波器は、ガラス製のブロックと、波長に応じて光を透過又は反射するコーティング膜を有し、隣り合って列状に並べられて前記ブロックの固定面に接着剤により固定された複数のバンドパスフィルタとを備え、前記バンドパスフィルタは、前記固定面に固定された第１の面と、前記第１の面に対向し前記第１の面よりも幅が広い第２の面とを有し、隣接する前記バンドパスフィルタの互いに対向する側面は、前記第１の面側の第１の部分と、前記第２の面側の第２の部分とを有し、隣接する前記バンドパスフィルタの前記第１の部分の間隔は前記第２の部分の間隔より広く、前記第２の部分は前記固定面に対して垂直であり、隣接する前記バンドパスフィルタの前記第２の部分が互いに接していることを特徴とする。
【国際調査報告】
2019193710.tif 000016
2019193710.tif 000017
2019193710.tif 000018
2019193710.tif 000019